(57)【特許請求の範囲】
【請求項１】
エンジン出力が静油圧式無段変速装置を介して走行装置に伝達されるように構成するとともに、運転者が搭座する運転座席を有した搭乗型運転部を備えてある乗用型草刈り機であって、
前記走行装置に駐車ブレーキを掛けるブレーキペダルと、前記走行装置に走行用ブレーキを掛けるブレーキレバーとを、搭乗運転者が前記運転座席に搭座した姿勢のままで操作可能な箇所に備えてある乗用型草刈り機。
【請求項２】
走行装置に作用するブレーキ装置と、このブレーキ装置を操作するためのブレーキレバー及びブレーキペダルを有するブレーキ操作装置とを備え、
前記ブレーキ操作装置は、ブレーキペダルによるブレーキ操作の際、ブレーキレバーがブレーキペダルに連動して移動し、ブレーキレバーによるブレーキ操作の際、ブレーキペダルを切り位置に維持するように構成し、
前記ブレーキ装置を入り状態に保持するロック状態とロック解除状態とに切り換え自在なブレーキロック機構を、前記ブレーキレバーによるブレーキ操作の際にはロック解除状態に維持され、前記ブレーキペダルによるブレーキ装置の入り操作が行なわれた際には自動的にロック状態に切り換わる状態で備えてある請求項１記載の乗用型草刈り機。
【請求項３】
前記ブレーキレバーによって前記ブレーキロック機構の解除操作を行なうように構成してある請求項２記載の乗用型草刈り機。
【発明の詳細な説明】
【０００１】
【発明の属する技術分野】
本発明は、エンジン出力が静油圧式無段変速装置を介して走行装置に伝達されるように構成するとともに、搭乗型運転部を備えてある乗用型草刈り機に関する。
【０００２】
【従来の技術】
上記草刈り機は、静油圧式無段変速装置の変速操作を行なうだけで操作簡単に前後進の切り換えや走行変速が行なえるものである。
【０００３】
この種草刈り機にあっては、無段変速装置を中立状態に操作することによって走行停止させるが、殊に傾斜地であると、走行装置が遊転して機体のずれ動きが発生することがある。
このため、従来、たとえば特開２００１−６３５３６号公報に示されるものがあった。
すなわち、走行装置としての車輪に作用するブレーキ装置、このブレーキ装置を操作するブレーキペダル及びブレーキレバーを備えるとともに、ブレーキレバーを入り操作位置に保持してブレーキ装置を入り状態に保持できるように構成し、ブレーキペダルによって走行装置に走行用ブレーキを掛け、ブレーキレバーによって走行装置に駐車ブレーキを掛けるものがあった。
【０００４】
【発明が解決しようとする課題】
傾斜地で停車したり駐車した際、傾斜角度によっては、走行装置に走行用ブレーキを掛けながら、かつ、そのブレーキ力を調節しながら、無段変速装置を中立状態から走行側に変速操作することにより、機体のずれ動きを防止しながら発進できることがある。このとき、従来のものにあっては、ブレーキペダルによってブレーキ調節をせねばならず、微妙な調節が行ないにくい場合があった。
【０００５】
本発明の目的は、駐車ブレーキも走行時のブレーキ調節も行ないやすい乗用型草刈り機を提供することにある。
【０００６】
【課題を解決するための手段】
請求項１による発明の構成、作用、効果はつぎのとおりである。
【０００７】
〔構成〕
エンジン出力が静油圧式無段変速装置を介して走行装置に伝達されるように構成するとともに、運転者が搭座する運転座席を有した搭乗型運転部を備えてある乗用型草刈り機であって、
前記走行装置に駐車ブレーキを掛けるブレーキペダルと、前記走行装置に走行用ブレーキを掛けるブレーキレバーとを、搭乗運転者が前記運転座席に搭座した姿勢のままで操作可能な箇所に備えてある。
【０００８】
〔作用〕
ブレーキペダルによって駐車ブレーキを掛けるものだから、傾斜地であって機体がずれ動かないように無段変速装置を操作する必要があるなど手がふさがっている場合でも、駐車ブレーキを足で掛けられる。
【０００９】
ブレーキレバーによって走行用ブレーキを掛けるものだから、無段変速装置の操作とブレーキ操作とを併せて行なう場合、無段変速装置を片手で操作しながら、他の片手でブレーキを掛けるとともにブレーキ力を微妙に容易に調節できる。
【００１０】
〔効果〕
従って、無段変速装置の操作などに手がふさがっている場合でも駐車ブレーキを足で容易に掛けて駐車できる。さらに、たとえば傾斜地で発進する場合、無段変速装置を片手で操作するとともに、他の片手で走行用ブレーキを掛けるとともにブレーキ力を微妙に容易に調節して、機体のずれ動きを防止しながらスムーズに発進できる。
【００１１】
請求項２による発明の構成、作用、効果はつぎのとおりである。
【００１２】
〔構成〕
請求項１に記載の構成において、走行装置に作用するブレーキ装置と、このブレーキ装置を操作するためのブレーキレバー及びブレーキペダルを有するブレーキ操作装置とを備え、
前記ブレーキ操作装置は、ブレーキペダルによるブレーキ操作の際、ブレーキレバーがブレーキペダルに連動して移動し、ブレーキレバーによるブレーキ操作の際、ブレーキペダルを切り位置に維持するように構成し、
前記ブレーキ装置を入り状態に保持するロック状態とロック解除状態とに切り換え自在なブレーキロック機構を、前記ブレーキレバーによるブレーキ操作の際にはロック解除状態に維持され、前記ブレーキペダルによるブレーキ装置の入り操作が行なわれた際には自動的にロック状態に切り換わる状態で備えてある。
【００１３】
〔作用〕
ブレーキペダルを操作してブレーキ装置を入り状態にすると、ブレーキロック機構が自動的にロック状態に切り換わってブレーキ装置が入り状態にロックされる。これにより、ブレーキペダルによって駐車ブレーキを掛けることができ、傾斜地であって機体がずれ動かないように無段変速装置を操作しながら駐車ブレーキを掛けるなど手がふさがっている場合でも、駐車ブレーキを足で掛けられる。このとき、ブレーキレバーがブレーキペダルに連動して移動するものだから、駐車ブレーキが掛かったとき、ブレーキレバーが駐車ブレーキの掛かる前の位置から移動して運転部に対する乗降の障害物になりにくいように位置させることができる。
【００１４】
ブレーキレバーを操作すると、ブレーキロック機構がロック解除状態に維持されており、ブレーキ装置を入り状態に保持されないようにしながら操作できる。これにより、ブレーキレバーによって走行用ブレーキを掛けることができ、無段変速装置の操作とブレーキ操作とを併せて行なう場合、無段変速装置を片手で操作しながら、他の片手でブレーキを掛けるとともにブレーキ力を微妙に容易に調節できる。
【００１５】
このように走行用ブレーキを掛ける場合、ブレーキペダルがブレーキレバーに連動して動くと、足に触れるとか、これを避けるように注意しなければならない問題を伴う場合がある。これに対し、ブレーキペダルが切り位置に維持されるものだから、上記した問題の発生を回避しながら走行用ブレーキを掛けられる。
【００１６】
〔効果〕
従って、無段変速装置の操作などに手がふさがっている場合でも駐車ブレーキを足で容易に掛けて駐車できる。このとき、ブレーキレバーを障害物になりにくいように位置させておいて、運転部に対する乗降をしやようにすることができる。
【００１７】
さらに、傾斜地でも、無段変速装置を片手で操作するとともに、他の片手で走行用ブレーキを掛けるとともにブレーキ力を微妙に容易に調節して、機体のずれ動きを防止しながらスムーズに発進できる。このように走行用ブレーキの操作を行なう場合、ブレーキペダルに起因する上記問題を伴わないで軽快に運転できる。
【００１８】
請求項３による発明の構成、作用、効果はつぎのとおりである。
【００１９】
〔構成〕
請求項２に記載の構成において、前記ブレーキレバーによって前記ブレーキロック機構の解除操作を行なうように構成してある。
【００２０】
〔作用〕
ブレーキレバーによってブレーキロック機構を解除操作することによってブレーキ装置の入り保持を解除し、ブレーキレバーの操作によってブレーキ装置の入り切り操作やブレーキ力調節が行なえるものである。これにより、ブレーキレバーの操作だけで駐車ブレーキを解除するとともに走行用ブレーキを操作しながら発進できる。
【００２１】
〔効果〕
従って、傾斜地で駐車し、無段変速装置と走行用ブレーキの操作を併せて行ないながら発進する場合でも、ブレーキレバーを操作するだけで操作簡単に駐車ブレーキを解除するとともに走行用ブレーキの調節が行なえる。
【００２２】
【発明の実施の形態】
図１、図２に示すように、左右一対のキャスタ式の前車輪１、左右一対の駆動自在な後車輪２、機体後端部に位置するエンジン３を有する原動部、この原動部の前側に位置する運転座席４を有する搭乗型運転部５が備えられている走行機体の機体フレーム６の前後輪間に、前揺動リンク７ａ及び後揺動リンク７ｂを備えるリンク機構７を介して芝刈り装置８を連結し、前記エンジン３からの回動力を回転軸９により、芝刈り装置８のモーアデッキ８ａの上面側に位置する入力部８ｂに伝達するように構成するとともに、前記リンク機構７を機体フレーム６に対して上下に揺動操作することによって芝刈り装置８を昇降操作するように構成して、主として芝刈りに使用する乗用型草刈り機を構成してある。
【００２３】
前記エンジン３の出力を、図３に示す伝動構造によって左右後輪２，２に伝達するように構成してある。
すなわち、エンジン３の出力軸３ａの回動力を回転軸１１により、機体後部の左右後輪２，２の間に位置するミッションケース１２の冷却ファン１３が付いている入力軸１２ａに伝達し、前記ミッションケース１２の出力軸１２ｂの回動力を、ミッションケース１２の両横側に連結している無段変速装置１４それぞれの入力部に伝達するようにしてある。左側の無段変速装置１４の回転出力を、左後輪用の伝動ケース１５の内部に位置するギヤ式伝動機構１６を介して左後車軸に伝達し、右側の無段変速装置１４の回転出力を、右後輪用の伝動ケース１５の内部に位置するギヤ式伝動機構１６を介して右後車軸に伝達するようにしてある。
【００２４】
左後輪用の無段変速装置１４も、右後輪用の無段変速装置１４も、前記ミッションケース１２の出力軸１２ｂに入力軸が連動している可変容量形の油圧ポンプと、この油ポンプからの油圧によって駆動されて回転出力を前記ギヤ式伝動機構１６に伝達する油圧モータとで成り、油圧ポンプの斜板角変更によって前進状態と中立状態と後進状態とに切り換わる静油圧式無段変速装置に構成してある。すなわち、前進状態では、エンジン３からの回動力を前進駆動力に切り換えるとともに無段階に変速してギヤ式伝動機構１６を介して後輪２に伝達し、後進状態では、エンジン３からの回動力を後進駆動力に切り換えるとともに無段階に変速してギヤ式伝動機構１６を介して後輪２に伝達する。中立状態では、油圧モータの駆動を停止して後輪２の駆動を停止する。
【００２５】
図３、図４に示すように、左後輪２の無段変速装置１４の揺動自在な変速操作部１４ａにリンク式連動機構１７を介して基部が連動している左走行レバー１８ａと、右後輪２の無段変速装置１４の揺動自在な変速操作部１４ａにリンク式連動機構１７を介して基部が連動している右走行レバー１８ｂとを、運転座席４の両横側に分散させて配置した状態で運転部５に設け、両走行レバー１８ａ，１８ｂをレバー支軸に兼用の回転伝動軸１７ａの軸芯まわりで機体前後方向に揺動操作して機体の走行及び操向操作と停止操作を行なうようにしてある。
【００２６】
すなわち、両走行レバー１８ａ，１８ｂを回転伝動軸１７ａの軸芯まわりで機体前後方向に揺動操作して左後輪用の無段変速装置１４と右後輪用の無段変速装置１４とを各別に変速操作する。すると、左右後輪２，２が共に前進側や後進側に同一速度で駆動されて機体が前進側や後進側に直進する。また、左右後輪２，２が互いに逆回転方向に駆動されるとか、共に前進側や後進側に駆動されても異なる回転速度で駆動されて機体の走行向きが変化する。あるいは、左右後輪２，２が共に駆動停止されて機体走行が停止する。
【００２７】
前記リンク式連動機構１７に、前記回転伝動軸１７ａにチューブ側が連結しているダンパー１７ｂを備えてある。このダンパー１７ｂは、無段変速装置１４の操作部１４ａに発生する振動が走行レバー１８ａ，１８ｂに伝達することを抑制するものである。
【００２８】
図４に示すように、左走行レバー１８ａ及び右走行レバー１８ｂそれぞれの基端部を前記回転伝動軸１７ａの回転軸芯とは直交する方向の連結ピン１９によって回転伝動軸１７ａに回動自在に連結してある。
すなわち、左右の走行レバー１８ａ，１８ｂを前記連結ピン１９の軸芯まわりで走行機体の横方向に起伏操作できるようにし、図４に実線で示すように、両走行レバー１８ａ，１８ｂを共に基端側が回転伝動軸１７ａに対して直交した起立姿勢にすることにより、両走行レバー１８ａ，１８ｂの握り部どうしが近付き合い、両走行レバー１８ａ，１８ｂの握り部を両手で別々に支持して両走行レバー１８ａ，１８ｂを別々に操作する他に、傾斜地で無段変速装置１４の操作にブレーキ操作を併せて行ないながら発進する場合など、両走行レバー１８ａ，１８ｂの握り部を片手で纏めて支持して両走行レバー１８ａ，１８ｂを纏めて操作することを可能にしてある。そして、図４に二点鎖線で示すように、左右の走行レバー１８ａ，１８ｂを運転座席４の横外側に倒伏した姿勢にして両走行レバー１８ａ，１８ｂの握り部どうしの間を広くし、この間を通って運転座席４に着いたり、運転座席４から離れるようにしてある。
【００２９】
図３などに示すように、前記左後輪用の伝動ケース１４及び右後輪用の伝動ケース１４にブレーキ装置２０を付設してある。
各ブレーキ装置２０は、伝動ケース内の前記ギヤ式伝動機構１６の回転伝動軸１６ａに摩擦ブレーキを掛けることによって後輪２にブレーキを掛けるものであり、図２などに示す如く運転座席４の左横側に手で操作するように配置したブレーキレバー２１と、運転部５における運転用ステップ５ａの後部の左横端側に踵で踏込み操作するように配置したブレーキペダル２２と、図９などに示すブレーキロック機構５０とを有するブレーキ操作装置ＢＣによって操作するように構成してある。このブレーキ操作装置ＢＣは、図５〜図９に示す如く構成してある。
【００３０】
すなわち、ブレーキレバー２１は、このブレーキレバー２１の基端部に固着してある取付けプレート２１ａと、この取付けプレート２１ａが連結ボルト２３によって連結しているレバー支持体２４ａを一体回転自在に備えている機体横向きのレバー支軸に兼用の回転連動軸２４とを介し、機体フレーム６が備えている左右のレバー支持ブラケット２５にわたって回動自在に取付けてあり、前記回転連動軸２４の軸芯まわりで揺動操作するようにしてある。ブレーキレバー２１の基端部に上端側が固着されていて回転連動軸２４の軸芯まわりでブレーキレバー２１と共に揺動する横断面コ字形のブレーキ操作体２６が備えているボルトで成る連動ピン２７と、機体フレーム６が備えているばね掛け部材２８とにわたって取付けたレバーリターンばね２９により、ブレーキレバー２１を切り操作位置ｏｆｆに自動復帰するように付勢してある。
【００３１】
ブレーキレバー２１に直結の前記ブレーキ操作体２６の前辺部に前端側が摺動自在に貫通しているブレーキロッド３０の後端側を、左後輪用のブレーキ装置２０の揺動アーム形式の操作部２０ａに連結ピン３１によって相対回動自在に連結してある。前記ブレーキロッド３０のブレーキ操作体２６から前方に突出している端部に、ストローク調節スプリング３２と、このスプリング３２の一端側を受け止め支持するスプリングストッパーに兼用のスプリング調節ねじ３３とを装着し、ブレーキ操作体２６によるブレーキロッド３０の機体前方側への引っ張り操作ができるようにブレーキ操作体２６とブレーキロッド３０とを連結してあるとともに、ブレーキ装置２０の操作部２０ａがブレーキ入り側のストロークエンドに達してからのブレーキレバー２１及びブレーキペダル２２の若干ストロークの操作がストローク調節スプリング３２の弾性変形によって許容されるようにしてある。
【００３２】
前記回転連動軸２４の機体右側の端部に、前記左側のブレーキ操作体２６と同一形状のブレーキ操作体２６を一体回動自在に備えさせ、このブレーキ操作体２６の前辺部に前端側が摺動自在に貫通しているブレーキロッド３０の後端側を、右後輪用のブレーキ装置２０の揺動アーム形式の操作部２０ａに連結ピン３１によって相対回動自在に連結してある。前記ブレーキロッド３０のブレーキ操作体２６から前方に突出している端部に、前記左側のブレーキロッド３０に装着のものと同様のストローク調節スプリング３２及びスプリング調節ねじ３３とを装着し、ブレーキ操作体２６によるブレーキロッド３０の機体前方側への引っ張り操作と、ブレーキ装置２０の操作部２０ａがブレーキ入り側のストロークエンドに達した後のブレーキレバー２１及びブレーキペダル２２の若干の操作とを可能にしてある。
【００３３】
ブレーキペダル２２は、ペダルアーム２２ａが連結ボルト３４によってアーム部３５ａに連結しているペダル支持体３５を介し、機体フレーム６が左右一対の支持ブラケット３６を介して支持している機体横向きのペダル支軸３７に回動自在に取付けてあり、このペダル支軸３７の軸芯まわりで揺動操作できるようにしてある。前記ペダル支持体３５の前記ペダル支軸３７に相対回動自在に外嵌している取付け筒部３５ｂから機体後方向きに一体回動自在に延出している連動アーム３８が備えているロッドで成るロック牽制体３９と、機体フレーム６が備えているばね掛け部材４０とにわたって取付けたペダルリターンばね４１によってブレーキペダル２２を切り操作位置ｏｆｆに自動復帰するように揺動付勢してある。
【００３４】
前記連動アーム３８の途中に前端側が連結ピン４２によって相対回動自在に連結している連動プレート４３の後端側を、ブレーキレバー２１に直結の前記ブレーキ操作体２６に前記連動ピン２７によって相対回動自在に連結してあるとともに、連動プレート４３の前記連動ピン２７が挿通しているピン孔４３ａを、連動ピン２７の摺動を可能にする長孔に形成してある。この長孔ピン孔４３ａは、連動プレート４３に設けた切欠きと、この切欠きの開口側に設けた調節ボルト４４とによって形成してある。この調節ボルト４４は、ブレーキペダル２２を踏込み操作してブレーキ装置２０が入り状態になったときにブレーキロック機構５０がロック作用するように連動プレート４３の連動ピン２７に対する当たり位置を調節するものである。
【００３５】
ブレーキロック機構５０は、機体フレーム６に固定の左右一対のリンク支持ブラケット５１によって連結ピン５２を介して中間部が回動自在に支持されているロックリンク５３と、ブレーキレバー２１に直結の前記ブレーキ操作体２６に連結ボルト５４ａによって固定してあるロックプレート５４とによって構成してある。
【００３６】
すなわち、ロックリンク５３が前記連結ピン５２の軸芯まわりで揺動し、図１１に示すように、ロックリンク５３の一方の遊端部に屈曲板を固着して設けてあるロック爪５５が、ロックプレート５４に備えてある図１３の如き切欠き部５６に入り込むと、ロックリンク５３がロックプレート５４に対してストッパー作用し、ブレーキ操作体２６を両ブレーキ装置２０のブレーキ切り側への自己復元力と、前記レバーリターンばね２９に抗して入り操作位置に保持する。これにより、ブレーキロック機構５０は、左側のブレーキ操作体２６及びブレーキロッド３０を介して左後輪用のブレーキ装置２０の操作部２０ａを、左側のブレーキ操作体２６と、回転連動軸２４と、右側のブレーキ操作体２６及びブレーキロッド３０を介して右後輪用のブレーキ装置２０の操作部２０ａをそれぞれ入り操作位置に保持し、両ブレーキ装置２０を入り状態に保持するようにロック状態になる。この状態からロックリンク５３のロック爪５５がロックプレート５４の切欠き部５６から抜け外れると、ロックリンク５３がロックプレート５４に対するストッパー作用を解除する。これにより、ブレーキロック機構５０は、各ブレーキ装置２０の操作部２０ａに対する保持作用を解除し、両ブレーキ装置２０の入り保持を解除するようにロック解除状態になる。
【００３７】
前記連結ピン５２にコイル部を外嵌させ、一端側をロックリンク５３に、他端側を前記リンク支持ブラケット５１にそれぞれ係止させてあるロックばね５７がロックリンク５３をロックプレート５４に係合する側に揺動付勢するように構成してある。前記ロック牽制体３９がロックリンク５３の解除操作部５３ａに押圧操作されると、ロックリンク５３を前記ロックばね５７に抗してロックプレート５４から離脱する側に揺動操作するように構成するとともに、この操作状態に前記ペダルリターンばね４１によって付勢されているように構成してある。ペダルリターンばね４１によるロックリンク５３の離脱操作力を、ロックばね５７によるロックリンク５３の係合操作力より強く設定し、図１１に示すように、ブレーキペダル２２を入り操作位置ｏｎに踏込み操作すれば、ロック牽制体３９がロックリンク５３の解除操作部５３ａから離れてこの解除操作部５３ａに対する押圧操作を解除しており、ブレーキペダル２２によってブレーキ操作体２６が入り操作位置に操作された場合には、ロックリンク５３がロックばね５７による揺動付勢のためにロックプレート５４に係合するように構成してある。図１０に示すように、ブレーキペダル２２が切り操作位置０ｆｆにあれば、ロック牽制体３９がペダルリターンばね４１による操作力のためにロックリンク５３をロックばね５７に抗して離脱側に保持しており、ブレーキペダル２２が切り操作位置ｏｆｆにある場合には、ブレーキ操作体２６が入り操作位置に操作されても、ロックリンク５３がロックプレート５４に係合しないように構成してある。
【００３８】
図１２に示すように、ロックリンク５３がロックプレート５４に係合した後は、ロック牽制体３９がペダルリターンばね４１による操作力によって解除操作部５３ａに押圧操作されていても、両ブレーキ装置２０の切り側への自己復元力と、レバーリターンばね２９による付勢力とのためにロック爪５５と、図１３などに示す切欠き部５６の一方の内部壁面５６ａとの間に発生する係合力のために、ロックリンク５３がロックプレート５４にストッパー作用する状態が保持される。すなわち、ブレーキロック機構５０がロック状態に保持される。この状態で、ブレーキレバー２１がブレーキ入り操作の方向に若干揺動操作されてブレーキ操作体２６を揺動させると、図１３などに示す切欠き部５６の他方の内部壁面５６ｂが前記内部壁面５６ａよりも緩い傾斜角を備えて発揮するカム作用と、ペダルリターンばね４１による操作力とのために、ロック爪５５が切欠き部５６から外れて、ロックリンク５３がロックプレート５４に対するストッパー作用を解除するように構成してある。すなわち、ロック状態にあるブレーキロック機構５０をブレーキレバー２１によってロック解除状態に切り換え操作できるようにしてある。
【００３９】
要するに、ブレーキ操作装置ＢＣは、ブレーキレバー２１及びブレーキペダル２２が切り操作位置ｏｆｆにあれば、図９の状態にある。
切り操作位置ｏｆｆにあるブレーキレバー２１を、後輪フェンダー６０に設けてあるレバーガイド溝６１に沿わせて回転伝動軸２４の軸芯まわりで機体後方側にレバーリターンばね２９に抗して揺動操作して入り操作位置ｏｎにする。すると、そのレバー操作力がブレーキレバー２１に直結のブレーキ操作体２６とストローク調節ばね３２とブレーキロッド３０とを介して左後輪用のブレーキ装置２０の操作部２０ａに、回転連動軸２４と、右側のブレーキ操作体２６とストローク調節ばね３２とブレーキロッド３０とを介して右後輪用のブレーキ装置２０の操作部２０ａにそれぞれ伝達して各操作部２０ａが入り側に揺動し、各ブレーキ装置２０がブレーキ入り状態になって左右後輪２，２にブレーキが掛かる。このとき、ブレー操作体２６の連動ピン２７が連動プレート４３の長孔４３ａのために連動プレート４３に対して相対移動してレバー操作力がブレーキペダル２２に伝達されず、ブレーキペダル２２は、ブレーキレバー２１に連動して動かないでペダルリターンばね４１によって切り操作位置ｏｆｆに維持される。すると、ロック牽制体３９がペダルリターンばね４１によってロックリンク５３の解除操作部５３ａに押し付け操作されてロックリンク５３をロックばね５７に抗してロックプレート５４に掛からない位置に維持操作し、ブレーキロック機構５０は、ロック解除状態に維持されて両ブレーキ装置２０も、ブレーキレバー２１もブレーキ入り状態や入り操作位置ｏｎにロックしない。これにより、ブレーキレバー２１の機体後方側への揺動操作を解除すると、ブレーキレバー２１はレバーリターンばね２９のために切り操作位置ｏｆｆに自ずと復帰するとともに、両ブレーキ装置２０もこれの自己復元力のために切り状態に復帰し、左右後輪２，２のブレーキが解除される。
従って、ブレーキレバー２１を操作すれば、両ブレーキ装置２０を入り状態になってもロックされないところの走行用ブレーキとして操作でき、左右後輪２，２に走行用ブレーキが掛かる。
【００４０】
図１１に示すように、切り操作位置ｏｆｆにあるブレーキペダル２２をペダルリターンばね４１に抗して踏込み操作して入り操作位置ｏｎにする。すると、このペダル操作力がペダル支持体３５、連動アーム３８、連動プレート４３を介して連動ピン２７に伝達してブレーキレバー２１に直結のブレーキ操作体２６が揺動し、このブレーキ操作体２６の回動力が、ブレーキレバー２１によるブレーキ操作のときと同様に左後輪用のブレーキ装置２０の操作部２０ａと、右後輪用のブレーキ装置２０の操作部２０ａとに伝達して各操作部２０ａが入り側に揺動し、各ブレーキ装置２０がブレーキ入り状態になって左右後輪２，２にブレーキが掛かる。このとき、ロック牽制体３９がブレーキペダル２２の踏込み操作のためにロックリンク５３の解除操作部５３ａから離れる側に移動操作されてロックリンク５３に対する押圧操作を解除していることにより、各ブレーキ装置２０がブレーキ入り状態になるに伴い、ブレーキロック機構５０がロックばね５７のために自動的にロック状態になって両ブレーキ装置２０を入り状態に保持し、左右後輪２，２がブレーキ状態にロックされる。この後、ブレーキペダル２２に対する踏込み操作を解除すると、図１２に示すように、ブレーキペダル２２は、ペダルリターンばね４１と、連動プレート４３の前記長孔４３ａとのために切り操作位置ｏｆｆの方に若干揺動操作され、ロック牽制体３９がロック作用状態にあるロックリンク５３の解除操作部５３ａに当接した位置に保持される。
このように、ロック牽制体３９がロックリンク５３の解除操作部５３ａに押圧されても、上記した如くロックプレート５６の切欠き部５６の内部壁面５６ａによるロックプレート５６とロック爪５５との噛合いのために、ブレーキロック機構５０はロック作用状態を保持し、各ブレーキ装置２０は入り状態になったままになる。
【００４１】
このロック状態において、ブレーキレバー２１を機体後方側に若干揺動操作する。すると、ロックプレート５４の切欠き部５６の内部壁面５６ｂによるカム作用によってロック爪５５がロックプレート５４から抜け外れ、このためにブレーキペダル２２の入り操作位置ｏｎへの保持が解除されてロック牽制体３９がペダルリターンばね４１による操作力のためにロックリンク５３をロックプレート５４に掛からない位置に維持する。これにより、ブレーキロック機構５０を解除側に切り換え操作し、各ブレーキ装置２０の入り保持を解除して左右後輪２，２のブレーキロックを解除できるとともに、ブレーキペダル２２を切り操作位置ｏｆｆに復元させられる。
従って、ブレーキペダル２２を操作すれば、両ブレーキ装置２０を入り状態になるに伴ってブレーキロック機構５０によって自ずと入り状態にロックされるところの駐車ブレーキとして操作でき、左右後輪２，２に駐車ブレーキが掛かる。そして、このとき、ブレーキレバー２１は、ブレーキ操作体２６がブレーキペダル２２に連動しているためにブレーキペダル２２に連動して切り操作位置ｏｆｆから機体後方側に揺動し、左右後輪２，２に駐車ブレーキが掛かった状態では入り操作位置ｏｎにブレーキロック機構５０によって保持される。
【００４２】
〔別実施形態〕
上記実施形態では、ブレーキレバー２１を運転座席４の左横側に、ブレーキペダル２２を運転用ステップ５ａの左端側にそれぞれ配置してあるが、ブレーキレバー２１を運転座席４の右横側に、ブレーキペダル２２を運転用ステップ５ａの右端側にそれぞれ配置するとか、ブレーキレバー２１とブレーキペダル２２の一方を左側で、他方を右側に配置する構成を採用して実施してもよい。また、ブレーキペダル２２は、運転用ステップ５ａの左右方向での中央部に配置して実施してもよい。
【００４３】
上記実施形態では、左後輪２と右後輪２とに各別にブレーキを掛ける一対のブレーキ装置２０，２０を採用してあるが、左右後輪２，２のいずれにも作用する一つのブレーキ装置２０を採用して実施してもよい。
【００４４】
機体に車輪２を走行用に備えたものの他、クローラ式走行装置を走行用に備えてある草刈り機にも本発明は適用できるのであり、これら車輪２やクローラ式走行装置を総称して走行装置２と呼称する。
【図面の簡単な説明】
【図１】乗用型草刈り機全体の側面図
【図２】乗用型草刈り機全体の平面図
【図３】伝動構造の概略図
【図４】運転部の走行レバー配設部の正面図
【図５】ブレーキ操作装置の一部の分解状態での斜視図
【図６】ブレーキ操作装置の一部の平面図
【図７】ブレーキ操作装置のブレーキ操作体配設部の正面図
【図８】ブレーキ操作装置の長孔配設部を示す側面図
【図９】ブレーキ操作装置のブレーキ切り状態での側面図
【図１０】ブレーキ操作装置のブレーキレバー操作状態での側面図
【図１１】ブレーキ操作装置のブレーキペダル操作状態での側面図
【図１２】ブレーキ操作装置の駐車ブレーキ状態での側面図
【図１３】ロックプレートの切欠き部を示す側面図
【符号の説明】
２          走行装置
５          搭乗型運転部
１４        静油圧式無段変速装置
２０        ブレーキ装置
２１        ブレーキレバー
２２        ブレーキペダル
５０        ブレーキロック機構
ＢＣ        ブレーキ操作装置
【図１】
0003894757.tif 000002
【図２】
0003894757.tif 000003
【図３】
0003894757.tif 000004
【図４】
0003894757.tif 000005
【図５】
0003894757.tif 000006
【図６】
0003894757.tif 000007
【図７】
0003894757.tif 000008
【図８】
0003894757.tif 000009
【図９】
0003894757.tif 000010
【図１０】
0003894757.tif 000011
【図１１】
0003894757.tif 000012
【図１２】
0003894757.tif 000013
【図１３】
0003894757.tif 000014